(57)【要約】      （修正有）【課題】給排水ボックス内に設けられている減圧弁の故障等により、該減圧弁より下流側の水圧及び／又はエアー圧が上昇し、配管が外れたり、パンクしたりする等し、水漏れやエアー漏れを起こすことを防ぐ。【解決手段】歯科治療用ユニット３には、歯科治療用機器に加圧水を供給する水回路I及びエアー回路IIが設けられている。水回路I（エアー回路IIも同様）には、加圧水源からの水を受け入れる或いは遮断する水元電磁弁１１と、該水元電磁弁１１を通した水の圧力を減圧する減圧弁１２と、該減圧弁１２を通した水の圧力を検出する水圧検出センサ１３を有し、該水圧検出センサ１３により減圧弁１２を通した水の圧力が予め定めた圧力を超えたことを検出した時に、水元電磁弁１１を閉じる。【選択図】図１
2007185269.tif 000002
【特許請求の範囲】
【請求項１】
歯科治療用機器に加圧水を供給する水回路において、加圧水源からの水を受け入れる或いは遮断する水元電磁弁と、該水元電磁弁を通した水の圧力を減圧する減圧弁と、該減圧弁を通した水の圧力を検出する水圧検出センサを有し、該水圧検出センサにより前記減圧弁を通した水の圧力が予め定めた規定の圧力を超えたことを検出した時に、前記水元電磁弁を閉じるようにしたことを特徴とする歯科治療ユニットにおける水供給装置。
【請求項２】
前記水圧検出センサにより前記減圧弁を通した水の圧力が予め定めた所定の圧力以下に低下したことを検出した時に、警告を発するようにしたことを特徴とする請求項１に記載の歯科治療ユニットにおける水供給装置。
【請求項３】
歯科治療用機器に加圧エアーを供給するエアー回路において、加圧エアー源からのエアーを受け入れる或いは遮断するエアー元電磁弁と、該エアー元電磁弁を通したエアーの圧力を減圧する減圧弁と、該減圧弁を通したエアーの圧力を検出するエアー圧検出センサを有し、該エアー圧検出センサにより前記減圧弁を通したエアーの圧力が予め定めた規定の圧力を超えたことを検出した時に、前記エアー元電磁弁を閉じるようにしたことを特徴とする歯科治療ユニットにおけるエアー供給装置。
【請求項４】
前記エアー圧検出センサにより前記減圧弁を通したエアーの圧力が予め定めた所定の圧力以下に低下したことを検出した時に、警告を発するようにしたことを特徴とする請求項３に記載の歯科治療ユニットにおけるエアー供給装置。
【発明の詳細な説明】
【技術分野】
【０００１】
本発明は、歯科治療において使用する種々の機器、例えば、歯科治療用のハンドピースに加圧水及び／又は加圧エアーを供給するための水及び／又はエアー供給装置に関する。
【背景技術】
【０００２】
図２は、本発明が適用される加圧水及び／又は加圧エアー供給装置を有する歯科治療ユニットの一例を示す全体構成図で、該歯科治療ユニットは、治療椅子１，ワークテーブル２，給排水ボックス（スピットン装置）３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において術者が使用する種々の機器、例えば、ハンドピース、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
上述のように、歯科治療に当り、術者は、インスツルメントホルダ５より施術に必要な機器（例えば、ハンドピース）８を取り出して歯科治療を行うが、ハンドピースの中には、該ハンドピースのノズルから水を噴射して歯牙治療部位を冷却するもの、ハンドピース内のタービン羽根にエアーを吹きつけてタービン羽根を回転させるもの、水とエアーとを噴射して口腔内を洗浄するもの等、種々のものがあり、これら加圧水及び／又は加圧エアーは、通常、前記給排水ボックス３内に設けられている水供給回路及び／又はエアー供給回路を通して、歯科治療に必要な種々の前記機器に供給されるようになっている。
【発明の開示】
【発明が解決しようとする課題】
【０００４】
上述のごとき、加圧水及び／又は加圧エアー供給装置において、ユニットの電源が入れられたまま（加圧水及び／又は加圧エアーが機器に供給されたまま）の状態で、例えば、お昼休みや夜間等に、給排水ボックス３内に設けられている減圧弁が故障すること等により、該減圧弁より下流側に設けられている機器例えばハンドピースへの水及び／又はエアーの供給圧が上昇し、配管が外れたり、配管がパンク等し、水漏れやエアー漏れを起こすケースがあり、特に、水漏れを起こした場合は、床や階下への被害が大きく、金銭的な損失が発生してしまう等の問題があった。
【課題を解決するための手段】
【０００５】
本発明は、上述のごとき課題を解決するためになされたもので、請求項１の発明は、歯科治療用機器に加圧水を供給する水回路において、加圧水源からの水を受け入れる或いは遮断する水元電磁弁と、該水元電磁弁を通した水の圧力を減圧する減圧弁と、該減圧弁を通した水の圧力を検出する水圧検出センサを有し、該水圧検出センサにより前記減圧弁を通した水の圧力が予め定めた規定の圧力を超えたことを検出した時に、前記水元電磁弁を閉じるようにしたことを特徴としたものである。
【０００６】
請求項２の発明は、請求項１の発明において、前記水圧検出センサにより前記減圧弁を通した水の圧力が予め定めた所定の圧力以下に低下したことを検出した時に、警告を発するようにしたことを特徴としたものである。
【０００７】
請求項３の発明は、歯科治療用機器に加圧エアーを供給するエアー回路において、加圧エアー源からのエアーを受け入れる或いは遮断するエアー元電磁弁と、該エアー元電磁弁を通したエアーの圧力を減圧する減圧弁と、該減圧弁を通したエアーの圧力を検出するエアー圧検出センサを有し、該エアー圧検出センサにより前記減圧弁を通したエアーの圧力が予め定めた規定の圧力を超えたことを検出した時に、前記エアー元電磁弁を閉じるようにしたことを特徴としたものである。
【０００８】
請求項４の発明は、請求項３の発明において、前記エアー圧検出センサにより前記減圧弁を通したエアーの圧力が予め定めた所定の圧力以下に低下したことを検出した時に、警告を発するようにしたことを特徴としたものである。
【発明の効果】
【０００９】
本発明によると、歯科治療ユニットに供給される加圧水、加圧エアーは給排水ボックス内で、水元又はエアー元電磁弁を通り、その後、減圧弁を通って減圧され、各規定圧に設定されているが、ユニットの電源が入っている場合には、これら圧力を常に監視する圧力検出センサを有している。その為、万一、水またはエアーの減圧弁が故障した場合に、前記規定圧が変化したのを検出することができ、その変化があらかじめ決められた範囲より低下した場合は、音声やエラー表示等によりユーザーに知らせることができ、また、決められている範囲より上昇した場合は、強制的に前記水元又はエアー元電磁弁を遮断するか、或いは、ユニット自体の電源を切る事で、水回路中又はエアー回路中の配管が外されたり、ホースが破損して水やエアーが漏出するのを防止することができ、前述のような問題が発生することなく、非常に安全である。
【発明を実施するための最良の形態】
【００１０】
図１は、本発明による加圧水及び／又は加圧エアー供給装置の一実施例を説明するための要部概略構成図で、図中、Iは加圧水供給回路、IIは加圧エアー供給回路で、加圧水供給回路Iは、水道水等の加圧水源側に連通した水元電磁弁１１、該水元電磁弁１１からの加圧水を減圧するための水用減圧弁１２、該水用減圧弁１２によって減圧された水の圧力を検出するための水圧検出用センサ１３等から成り、加圧エアー供給回路IIは、コンプレッサ等からの加圧エアー源側に連通した加圧エアー元電磁弁２１、該加圧エアー元電磁弁からの加圧エアーを減圧するためのエアー用減圧弁２２、該減圧弁２２によって減圧されたエアーの圧力を検出するためのエアー圧検出センサ２３等から成っている。
【００１１】
水用減圧弁１２、及び、エアー用減圧弁２２によって規定圧に減圧された水及び／又はエアーは歯科治療において使用される種々の機器、例えば、歯科治療用のハンドピースに供給され、例えば、マイクロエンジンハンドピース８1には減圧された水が供給され、該ハンドピースのノズルより噴射される水によって、歯牙切削の際に発生する熱を除去する。また、エアータービンハンドピース８2には減圧弁２２によって減圧されたエアーが供給され、該ハンドピースのタービン羽根を回転する。更には、図示しないが、シリンジ（ハンドピース）には、減圧された水とエアーとが供給され、例えば、水とエアーとが混合された混合体（スプレー）が噴射される。
【００１２】
ここで、水用減圧弁１２及び／又はエアー用減圧弁２２が故障すると、これら減圧弁より下流側の水回路及び／又はエアー回路の圧力が上昇し、これら水回路及び／又はエアー回路の配管が外れたり、配管がパンクし、水漏れやエアー漏れを起こすケースがあった。特に、水漏れを起こした場合は、床や階下への被害が大きく、金銭的な損失が発生してしまう等の問題があった。
【００１３】
本発明は、上述のごとき水漏れやエアー漏れを防止し、前述のごとき問題が発生しないようにしたもので、図中、水元電磁弁１１、水圧検出センサ１３、及び、エアー元電磁弁２１、エアー圧検出センサ２３、及び、ユニット制御回路１０は、そのために設けられたものである。
【００１４】
図１において、ユニット制御回路１０は、前記水圧検出センサ１３の出力及びエアー圧検出センサ２３の出力を監視し、これらの圧力が予め定めた値以上に上昇した時は、水用減圧弁１２、或いは、エアー用減圧弁２２が故障したものと判断し、水圧が予め定めた値以上に上昇したときは、水元電磁弁１１を遮断し、エアー圧が予め定めた値以上に上昇したときは、エアー元電磁弁２１を遮断するようにしたものである。あるいは、ユニット３内の電源を切ることで、これら水元電磁弁１１、及び、エアー元電磁弁２１を遮断するようにしてもよい。
【００１５】
更には、水圧検出センサ１３の出力、或いは、エアー圧検出センサ２３の出力が、予め定められた値以下に低下した場合には、音声（ブザー）、光（パイロットランプの点滅）、或いは、ディスプレイ表示等によって、その旨ユーザ（術者等）に知らせ、機器が正常に動作しない恐れがあることを知らせる。
【００１６】
以上の説明から明らかなように、本発明によると、歯科治療ユニットにおける加圧水及び／又は加圧エアー供給装置において、水圧及び／又はエアー圧が予め定めた値以上に上昇した場合には、これら加圧水及び／又は加圧エアー供給回路に供給する加圧水及び／又は加圧エアーを遮断するようにしたので、加圧水及び／又は加圧エアーによって、歯科治療機器における水漏れ、及び／又は、エアー漏れを防止することができる。
【図面の簡単な説明】
【００１７】
【図１】本発明による加圧水及び／又は加圧エアー供給装置の一実施例を説明するための要部概略構成図である。
【図２】本発明が適用される加圧水及び／又は加圧エアー供給装置を有する歯科治療ユニットの一例を示す全体構成図である。
【符号の説明】
【００１８】
１…治療椅子、２…ワークテーブル、３…給排水ボックス、４…無影灯、５…インスツルメントホルダ、６…フットスイッチ、７…アシスタントインスツルメントホルダ、８…ハンドピース、８1…マイクロエンジン、８2…エアータービン、９…インスツルメントホース、１０…ユニット制御回路、１１…水元電磁弁、１２…水用減圧弁、１３…水圧検出センサ、２１…エアー元電磁弁、２２…エアー用減圧弁、２３…エアー圧検出センサ。
【図１】
2007185269.tif 000003
【図２】
2007185269.tif 000004